(57)【特許請求の範囲】
【請求項１】
絵柄が表示された表面、前記表面と厚み方向に対向する裏面及び前記表面と前記裏面とをつなぐ外周面を有するメンコを保護するためのメンコ用ホルダであって、
前記ホルダは、
前記外周面を囲むように形成された枠体と、前記枠体に一体に設けられ、前記表面の前記絵柄が隠れない程度に前記枠体の内側に向かって延び且つ前記外周面と連続する前記表面の部分と接触する表面側延長接触部とからなるホルダ本体と、
前記枠体の前記表面側延長接触部が設けられている側とは反対側に位置する前記枠体の開口部を塞ぐ蓋部材とを備え、
前記ホルダ本体には、前記ホルダ本体及び前記蓋部材の両者を係止する係止構造を構成する係止部及び被係止部の一方が設けられ、
前記蓋部材には、前記ホルダ本体及び前記蓋部材の両者を係止する係止構造を構成する係止部及び被係止部の他方が設けられていることを特徴とするメンコ用ホルダ。
【請求項２】
前記蓋部材の一辺と前記ホルダ本体の一辺とは、ヒンジ機構を介して連結されている請求項１に記載のメンコ用ホルダ。
【請求項３】
前記蓋部材には、前記ホルダ本体と前記蓋部材とが係止された状態で、前記枠体内に挿入されて前記メンコの裏面と接触し、前記メンコを前記表面側延長接触部に向かって押し付ける１以上の押圧用突出部が設けられている請求項１または２に記載のメンコ用ホルダ。
【請求項４】
前記メンコを間に挟むことができるように相互に連結された二枚の可撓性を有する合成樹脂性シート部からなる透明または半透明の保護用エンベロープを更に備え、
前記保護用エンベロープ内に前記メンコを入れた状態で、前記枠体の内部に前記メンコが挿入されることを特徴とする請求項１に記載のメンコ用ホルダ。
【請求項５】
前記メンコの前記表面を保護する透明または半透明の保護シートが前記表面側延長接触部に係止されるようにして前記枠体の内部に配置されている請求項１に記載のメンコ用ホルダ。
【請求項６】
請求項１乃至５のいずれか１つに記載のメンコ用ホルダに装着されたメンコを用いて対戦する際に使用するメンコ用フィールドであって、
マットと、
前記マットの周囲を囲んで、前記マットの上に叩きつけられた前記メンコが前記マットの外部に飛び出すのを防止する飛び出し防止枠ユニットとを備えていることを特徴とするメンコ用フィールド。
【請求項７】
前記マットは、通気性を有する袋状のカバー部材と、前記カバー部材の内部に配置され前記カバー部材を通って前記カバー部材の内部に入った空気を吸収する詰物とからなる請求項６に記載のメンコ用フィールド。
【請求項８】
前記詰物は、スポンジ構造の下側詰物層と前記下側詰物層の上に重ねられる布団構造の上側詰物層とから構成されている請求項７に記載のメンコ用フィールド。
【請求項９】
前記詰物の周囲を囲む環状のフレームを更に備えている請求項７に記載のメンコ用フィールド。
【発明の詳細な説明】
【０００１】
【発明の属する技術分野】
本発明は、メンコ用ホルダ及びこのメンコ用ホルダに装着されたメンコを使用する際に使用できるメンコ用フィールドに関するものである。
【０００２】
【従来の技術】
メンコは、厚紙の表面に様々な絵や写真が印刷された構造を有している。従来は、このメンコを直接床や地面等の硬いフィールド上に叩きつけて対戦を行っている。
【０００３】
【発明が解決しようとする課題】
しかしながら対戦中にメンコの外周部が硬いフィールドに当たったり、メンコの表面がフィールド上を摺動して、紙製のメンコが早期に傷ついてしまう問題があった。そして従来はメンコをシステマテックに保護する装置はなかった。またメンコを保護しつつ同時にメンコ遊戯の遊興性を高めるホルダやフィールドの組合せもなかった。
【０００４】
本発明の目的は、メンコを保護できるメンコ用ホルダを提供することにある。
【０００５】
本発明の他の目的は、メンコの装着が容易でしかもメンコが簡単に抜け出ることがないメンコ用ホルダを提供することにある。
【０００６】
本発明の更に他の目的は、メンコをホルダに装着する際及びメンコをホルダから取り外す際に、メンコが傷つくのをできるだけ防ぐことができるメンコ用ホルダを提供することにある。
【０００７】
本発明の更に他の目的は、使用中にメンコの表面の絵柄が傷つくのを防止できるメンコ用ホルダを提供することにある。
【０００８】
本発明の別の目的は、メンコ用ホルダに装着したメンコを用いて対戦する際に、フィールドに当たったメンコが必要以上に飛び跳ねることがなく、しかも相手のメンコを反転させる揚力を発生させることができるというメンコ遊戯の遊興性を高めることのできるメンコ用フィールドを提供することにある。
【０００９】
【課題を解決するための手段】
本発明は、絵柄が表示された表面、この表面と厚み方向に対向する裏面及び表面と裏面とをつなぐ外周面を有するメンコを保護するためのメンコ用ホルダを対象とする。ここで絵柄とは、絵、写真、図、文字、色等のように平面に表現できる全ての表現物を包含するものである。また裏面にも絵柄が表現されていてもよいのは勿論である。本発明のホルダは、メンコの外周面を囲むように形成された枠体と、枠体に一体に設けられた表面側延長接触部と、枠体に一体に設けられた裏面側延長部とを備えて、可撓性と柔軟性のある材料により一体に成形されている。この可撓性と柔軟性のある材料としては、ウレタン樹脂、ポリエステル樹脂、あるいは同様の性質を示す合成樹脂材料及びそれらの化合物、混合物を用いることができる。この材料に必要とされる可撓性と柔軟性は、メンコの着脱作業に大きな障害を与えず即ちメンコを装着する際の変形が容易で、しかも多少大きく変形させたとしても簡単に復元できる程度の可撓性と柔軟性である。表面側延長接触部は、メンコの表面の絵柄が隠れない程度に枠体の内側に向かって延び且つメンコの外周面と連続する表面の部分と接触するものである。また裏面側延長接触部は、枠体の内側に向かって延び且つメンコの外周面と連続する裏面の一部または全部と接触するものである。表面側延長接触部及び裏面側延長接触部の数及び形状は、それらがメンコの表面及び裏面と接触して、メンコが枠体から抜け出ないようにするという機能を発揮するものであれば任意であり、数についてはそれぞれ少なくとも１個以上存在すればよい。例えば表面側延長接触部であれば、枠体に沿って連続して延びる環状形状の表面側延長接触部を用いればよく、また裏面側延長接触部は、環状形状の表面側延長接触部の中央に形成された開口部に対応する部分に主要部を有し、その主要部を枠体に連結する複数の連結部を有する１つの裏面側延長接触部を用いることができる。
【００１０】
本発明のメンコ用ホルダは、枠体によりメンコの外周面を保護し、表面側延長接触部及び裏面側延長接触部により枠体からメンコが抜け出るのを阻止するとともに、メンコの表面及び裏面がフィールド上に強く押し付けられた状態で摺動するのを防止することにより、メンコを保護する。したがって本発明のメンコ用ホルダを用いれば、メンコを確実に保護することができる。
【００１１】
枠体の形状は、メンコの形状に応じて定めるものであり、例えばメンコの表面及び裏面の輪郭が長方形の形状を有していれば、枠体もその輪郭形状は長方形形状になる。枠体は、メンコの長手方向に間隔を開けて対向する一対の短辺側枠体セグメントと、長手方向と直交する方向に間隔を開けて対向する一対の長辺側枠体セグメントとから構成される。この場合には、２つの表面側延長接触部を一対の短辺側枠体セグメントの全長に沿って配置し、それぞれの表面側延長接触部の長手方向の両端を一対の長辺側枠体セグメントに連結する。そして別の２つの表面側延長接触部を、一対の短辺側枠体セグメントと連結されないようにして、一対の長辺側枠体セグメントに沿って配置する。更に１つの裏面側延長接触部を、いずれの表面側延長接触部とも枠体の厚み方向に対向しない形状にして、一対の長辺側枠体セグメントに連結する。このようにすると裏面側延長接触部の最大輪郭形状は、枠体の開口部から表面側延長接触部を除いた残部の形状の輪郭形状と実質的に等しくなる。特に、このような形状にすると、メンコ用ホルダの一体形成が容易になる。また一対の短辺側枠体セグメントと裏面側延長接触部との間に形成された２つのスリットの何れか一方からメンコを挿入し、一対の長辺側延長接触部と裏面側延長接触部との間の隙間にメンコを進入させることにより、枠体の内部にメンコを装着することができる。そしてメンコをホルダから外す際には、まず一対の短辺側枠体セグメントを裏面側延長接触部が位置する側と反対側に反らし、次にメンコの一方の短辺をプレイヤの指で押して、メンコの他方の短辺を対応する前述のスリットから押し出し、ホルダから一部延び出たメンコの短辺部分をプレイヤの片手の親指と人差し指で摘んでメンコを引き出せばよい。
【００１２】
メンコをホルダから引き抜くために、一対の短辺側枠体セグメントを裏面側延長接触部が位置する側と反対側に反らす際の作業を容易にするためには、一対の短辺側枠体セグメントを、互いに離れる方向に向かうに従って厚みが薄くなる断面形状にし、一対の短辺側枠体セグメントの厚み方向に対向する一対の表面に、複数の突起を一体に設ける。このようにすると、短辺側枠体セグメントの変形が容易になって、しかも複数の突起が指の滑り止めとなるため、メンコの引き抜き作業が容易になる。なおこの場合、裏面側延長接触部には、人間の１本の指が挿入可能な貫通孔を１個以上形成しておくのが好ましい。このようにすると、メンコをホルダから引き抜く際に、メンコを引き抜いている手とは反対側の手の指をこの貫通孔に入れることにより、メンコに対してホルダを引き易くすることができようになり、メンコを引き抜く際の作業性が向上する。
【００１３】
メンコを間に挟むことができるように相互に連結され且つ枠体の厚みよりも厚みが薄い二枚の可撓性と柔軟性とを有する合成樹脂製シート部からなる透明または半透明の保護用エンベロープを用い、この保護用エンベロープ内にメンコを入れた状態で、枠体の内部にメンコを挿入するのが好ましい。なお保護用エンベロープを構成する二枚の合成樹脂製シート部は、対向する一辺、または連続する対向する二辺、または連続する対向する三辺が結果として相互に連結されていればよい。したがって二枚の合成樹脂製シート部は，一枚の合成樹脂シート材料を折り曲げてその折り曲げ部を１つの連結部分とし、その連結部分の両側に位置する部分をそれぞれ合成樹脂シート部としてもよい。このような保護用エンベロープを用いると、メンコが複数枚の薄い紙を重合して形成した厚紙で形成されている場合に、メンコをホルダに挿入する際にメンコの角部で複数枚の薄い紙がめくれ上がって、メンコが損傷を受けるのを有効に防止できる。またメンコの表面及び裏面が保護用エンベロープによって覆われているので、ゲーム中においてもメンコの表面及び裏面を確実に保護することができる。
【００１４】
またホルダは、ホルダ本体と蓋部材とから構成することができる。この場合、ホルダ本体は、外周面を囲むように形成された枠体と、枠体に一体に設けられ、メンコの表面の絵柄が隠れない程度に枠体の内側に向かって延び且つメンコの外周面と連続する表面の部分と接触する表面側延長接触部とから構成される。そして蓋部材は、枠体の表面側延長接触部が設けられている側とは反対側に位置する枠体の開口部を塞ぐように構成される。ホルダ本体には、ホルダ本体及び蓋部材の両者を係止する係止構造を構成する係止部及び被係止部の一方が設けられ、蓋部材には、ホルダ本体及び蓋部材両者を係止する係止構造を構成する係止部及び被係止部の他方が設けられる。ホルダをこのようなホルダ本体と蓋部材とから構成すると、ホルダにメンコを装着する際には、メンコをホルダ本体の枠体内に落とし込んだ後に、蓋部材をホルダ本体に係止すればよい。したがって、メンコに大きな力を加えることなく、メンコのホルダへの装着及びホルダからのメンコの取外しを容易に行える。
【００１５】
なおホルダ本体と蓋部材とは、別個になっていてもよいが、蓋部材の一辺とホルダ本体の一辺とをヒンジ機構を介して連結してもよい。このようにすると、ホルダを構成する部品がバラバラになって紛失してしまうのを防ぐことができる。
【００１６】
そして蓋部材には、ホルダ本体と蓋部材とが係止された状態で、枠体内に挿入されてメンコの裏面と接触し、メンコを表面側延長接触部に向かって押し付ける１以上の押圧用突出部を設けるのが好ましい。１以上の押圧用突出部を設けると、メンコがホルダ内で動くのを防止できるので、プレイヤに違和感を与えることがない。
【００１７】
またこのようなホルダを用いる場合にも、前述の保護用エンベロープを用いることができる。しかしながら、メンコの表面を保護する透明または半透明の保護シートを表面側延長接触部に係止されるように枠体の内部に配置してもよい。
【００１８】
ホルダに装着したメンコを叩きつけるフィールドは任意である。しかしホルダにメンコを入れると、全体の重量が増す分だけ、フィールドに当たった際の、反発力が大きくなって、メンコが跳ね上がり易くなる。そこでメンコ用ホルダに装着されたメンコを用いて対戦する際に使用するメンコ用フィールドとしては、次の構成のものを用いるのが好ましい。すなわちマットと、このマットの周囲を囲んで、マットの上に叩きつけられたメンコがマットの外部に飛び出すのを防止する飛び出し防止枠ユニットとからメンコ用フィールドを構成する。このようなメンコ用フィールドを用いると、マットによりメンコの反発力を吸収して、しかも飛び出し防止枠ユニットによりメンコの飛び出しを防止することができるので、ホルダによって重量が増加しても、支障なくプレイを楽しむことができる。
【００１９】
なおマットは、通気性を有する袋状のカバー部材と、このカバー部材の内部に配置されカバー部材を通ってカバー部材の内部に入った空気を吸収する詰物とから構成するのが好ましい。このような構造のマットであれば、メンコがマットに当たる際にフィールドに押しつけられる空気の一部がマットに吸収されるため、メンコの反発力を抑制することができる。
【００２０】
またこの詰物は、スポンジ構造の下側詰物層と下側詰物層の上に重ねられる布団構造の上側詰物層とから構成するのが好ましい。このような構成にすると、メンコがマットに当たった際の衝撃力をスポンジ構造の下側詰物層で吸収して、押し込まれる空気を布団構造の上側詰物層で吸収することができる。なお詰物全体をスポンジ構造にすると、詰物自体の弾性力が大きくなってメンコの跳ねを抑制する機能が多少低下する。なおこの場合、詰物の周囲を囲む環状のフレームを更に用いると、マットの形状が型崩れするのを有効に防止できる。
【００２１】
【発明の実施の形態】
以下図面を参照して、本発明の実施の形態を詳細に説明する。図１（Ａ）は、本発明の一実施の形態のメンコ用ホルダ１の斜視図であり、図１（Ｂ）はこのメンコ用ホルダにメンコ２を装着した状態の斜視図である。このホルダ１は、可撓性と柔軟性のあるウレタン樹脂、ポリエステル樹脂、あるいは同様の性質を示す合成樹脂材料及びそれらの化合物、混合物により一体成形されている。またメンコ２は、複数枚の薄い紙を重合して形成した厚紙をベースとして形成されており、絵柄３が表示された表面４と、この表面４と厚み方向に対向する図示しない裏面と、表面４と裏面とをつなぐ矩形状（または長方形形状）の輪郭形状を有する図示しない外周面とを備えている。図２（Ａ）及び（Ｂ）は、図１（Ａ）のメンコ用ホルダの平面図及び底面図であり、図３（Ａ）乃至（Ｄ）は、図１（Ａ）のメンコ用ホルダの正面図、図２（Ａ）のメンコ用ホルダのIIIＢ−IIIＢ線断面図、図１（Ａ）のメンコ用ホルダの側面図及び図２（Ａ）のメンコ用ホルダのIIIＤ−IIIＤ線断面図である。
【００２２】
この実施の形態のホルダ１は、メンコ２の外周面を囲むように形成された枠体５を有している。枠体５は、メンコ２の長手方向に間隔を開けて対向する一対の短辺側枠体セグメント６及び７と、長手方向と直交する方向に間隔を開けて対向する一対の長辺側枠体セグメント８及び９とから構成される。そして枠体５には、一対の短辺側枠体セグメント６及び７の全長に沿って２つの表面側延長接触部１０及び１１が一体に設けられている。これら２つの表面側延長接触部１０及び１１の長手方向の両端１０ａ及び１０ｂ並びに１１ａ及び１１ｂは、一対の長辺側枠体セグメント８及び９にそれぞれ連結されている。また枠体５には、一対の長辺側枠体セグメント８及び９に沿って、別の２つの表面側延長接触部１２及び１３が、一対の短辺側枠体セグメント６及び７とは連結されないようにして配置されている。これら表面側延長接触部１０〜１３は、メンコ２の表面４の絵柄３が隠れない程度に枠体５の内側に向かって延び且つメンコ２の外周面と連続する表面４の部分と接触して、メンコ２が枠体５の開口部から抜け出るのを阻止している。表面側延長接触部１２及び１３が、一対の短辺側枠体セグメント６及び７とは連結されていないため、表面側延長接触部１２及び１３の両側に形成された隙間１４が、後に説明するように一対の短辺側枠体セグメント６及び７を上に向かって反らせることを容易にしている。
【００２３】
図３を見ると分かるように、一対の短辺側枠体セグメント６及び７は、互いに離れる方向（枠体５の長手方向両側）に向かうに従って厚みが薄くなる断面形状を有している。そして一対の短辺側枠体セグメント６及び７の厚み方向に対向する一対の表面には、それぞれ複数の突起１７が一体に形成されている。このような複数の突起１７を設けると、短辺側枠体セグメント６及び７をプレイヤの左右の手の親指と人差し指とで挟んで、図３（Ｂ）に矢印で示すように反らせることが容易になる。
【００２４】
また枠体５には、枠体５の内側に向かって延び、且つメンコ２の外周面と連続するメンコ２の裏面の一部と接触する裏面側延長接触部１５が、一体に設けられている。この裏面側延長接触部１５は、前述のいずれの表面側延長接触部１０〜１３とも枠体５の厚み方向（またはメンコ２の厚み方向）に対向しない形状を有している。このような形状にすれば、ホルダ１を二つの合わせ成形型を用いて一体に成形することが可能になる。裏面側延長接触部１５は、枠体５に形成された開口部に対応する部分に主要部１５ａを有し、その主要部１５ａを枠体５に連結する４つの連結部１５ｂとを有している。そして裏面側延長接触部１５の主要部１５ａには、長手方向に並ぶように３つの貫通孔１６が形成されている。これらの貫通孔１６は、人間の１本の指が挿入可能な直径を有している。
【００２５】
図２（Ｂ）及び図３（Ｂ）に示されるように、この実施の形態では、一対の短辺側枠体セグメント６及び７と裏面側延長接触部１５との間に細長いスリットＳが２本形成されている。図３（Ｂ）に示すように、この２つのスリットの何れか一方からメンコ２を挿入し、一対の表面側延長接触部１２及び１３と裏面側延長接触部１５との間の隙間にメンコ２を進入させることにより、枠体５の内部にメンコ２を装着することができる。なお２つの短辺側枠体セグメント６及び７は、メンコ２を挿入する際に、図示の矢印方向に反る。そしてメンコ２をホルダ１から外す際には、まず一対の短辺側枠体セグメント６及び７を裏面側延長接触部１５が位置する側と反対側に反らし、次にメンコ２の一方の短辺をプレイヤの指で押して、メンコの他方の短辺を対応する前述のスリットＳから押し出し、ホルダ１から一部延び出たメンコ２の短辺部分をプレイヤの片手の親指と人差し指で摘んでメンコ２を引き出せばよい。なおメンコ２をホルダ１から引き抜く際に、メンコ２を引き抜いている手とは反対側の手の指を裏面側延長接触部１５に形成した貫通孔１６に入れることにより、メンコ２に対してホルダ１が引き易くなる。その結果、メンコを引き抜く際の作業性が向上する。
【００２６】
ホルダ１に装着したメンコ２を叩きつけるフィールドは任意である。しかしホルダ１にメンコ２を入れると、全体の重量が増す分だけ、フィールドに当たった際の、反発力が大きくなって、メンコが跳ね上がり易くなる。そこでメンコ用ホルダに装着されたメンコを用いて対戦する際には、図４に示すメンコ用フィールド２１を用いることができる。このメンコ用フィールド２１は、マット２２と、このマット２２の周囲を囲んで、マット２２の上に叩きつけられたホルダに装着されたメンコ２０がマットの外部に飛び出すのを防止する飛び出し防止枠ユニット２３とから構成されている。マット２２は、通気性を有する袋状のカバー部材２４と、このカバー部材の内部に配置されカバー部材を通ってカバー部材の内部に入った空気を吸収する詰物２５とから構成するのが好ましい。図４の例では、詰物２５として布団構造の詰物が使用されている。布団構造の詰物は、例えば布製の袋の内部に綿等を詰めたものである。このような構造のマット２２であれば、メンコ２０がマットに当たる際にフィールドに押しつけられる空気の一部がマットに吸収されるため、メンコの反発力を抑制することができる。
【００２７】
飛び出し防止枠ユニット２３は、プラスチックにより形成された４つの雌型ブロック２６と４つの雄型ブロック２７とが交互に並んで八角形を形成するように配置されて構成されている。雌型ブロック２６の両端には、雄型ブロック２７の一端が嵌合される被嵌合部がそれぞれ形成されている。飛び出し防止枠ユニット２３を構成する雌型ブロック２６及び雄型ブロック２７は、組み立てられた状態で、マット２２の外周部を部分的に囲むようにそれぞれ構成されている。
【００２８】
図５（Ａ）及び（Ｂ）は、本発明の他の実施の形態のメンコ用ホルダ１０１の斜視図及びこのメンコ用ホルダ１０１にメンコ２を装着した状態の斜視図である。なお図５には、図１に示した実施の形態と同様の部分に、図１に付した符号に１００の数を加えた数の符号を付して詳細な説明を省略する。このホルダ１０１の枠体１０５も、メンコ１０２の長手方向に間隔を開けて対向する一対の短辺側枠体セグメント１０６及び１０７と、長手方向と直交する方向に間隔を開けて対向する一対の長辺側枠体セグメント１０８及び１０９とから構成される。そして枠体１０５には、一対の長辺側枠体セグメント１０８及び１０９に沿って、２つの表面側延長接触部１１２及び１１３が、一対の短辺側枠体セグメント１０６及び１０７とは連結されないようにして配置されている。２つの表面側延長接触部１１２〜１１３は、メンコ１０２の表面１０４の絵柄１０３が隠れない程度に枠体１０５の内側に向かって延び且つメンコ１０２の外周面と連続する表面１０４の部分と接触して、メンコ１０２が枠体１０５の開口部から抜け出るのを阻止している。
【００２９】
また枠体１０５には、枠体１０５の内側に向かって延び、且つメンコ１０２の外周面と連続するメンコ１０２の裏面の一部と接触する裏面側延長接触部１１５が、一体に設けられている。この裏面側延長接触部１１５は、前述の２つの表面側延長接触部１１２及び１１３と枠体１０５の厚み方向（またはメンコ１０２の厚み方向）に対向しない形状を有している。そして裏面側延長接触部１１５の主要部１１５ａには、長手方向に並ぶように２つの貫通孔１１６が形成されている。このメンコ用ホルダ１０１では、一対の短辺側枠体セグメント１０６及び１０７側に表面側延長接触部が設けられていないが、短辺側枠体セグメント１０６及び１０７と裏面側延長接触部１１５との間に形成される段部１１８の存在により、メンコ１０２がホルダ１０１から抜け出るのが阻止されている。
【００３０】
図６（Ａ）及び（Ｂ）は、本発明の更に他の実施の形態のメンコ用ホルダ２０１の斜視図及びこのメンコ用ホルダ２０１にメンコ２０２を装着した状態の斜視図である。なお図５には、図１に示した実施の形態と同様の部分に、図１に付した符号に２００の数を加えた数の符号を付して詳細な説明を省略する。このホルダ２０１の枠体２０５も、メンコ２０２の長手方向に間隔を開けて対向する一対の短辺側枠体セグメント２０６及び２０７と、長手方向と直交する方向に間隔を開けて対向する一対の長辺側枠体セグメント２０８及び２０９とから構成される。そして枠体２０５には、一対の短辺側枠体セグメント２０６及び２０７に沿って、２つの表面側延長接触部２１０及び２１１が、一対の長辺側枠体セグメント２０８及び２０９とは連結されないようにして配置されている。２つの表面側延長接触部２１０〜２１１は、メンコ２０２の表面２０４の絵柄２０３が隠れない程度に枠体２０５の内側に向かって延び且つメンコ２０２の外周面と連続する表面２０４の部分と接触して、メンコ２０２が枠体２０５の開口部から抜け出るのを阻止している。
【００３１】
また枠体２０５の一対の長辺側枠体セグメント２０８及び２０９には、枠体２０５の内側に向かい且つ一対の長辺側枠体セグメント２０８及び２０９に沿って延びて、メンコ２０２の外周面と連続するメンコ２０２の裏面の一部と接触する一対の裏面側延長接触部２１５ａ及び２１５ｂが、一体に設けられている。このメンコ用ホルダ２０１では、メンコ２０２の裏面も枠体２０５から露出することになる。したがってメンコ２０１の両面に絵柄が描かれているメンコを装着するのに適している。
【００３２】
図７（Ａ）乃至（Ｃ）は、それぞれ保護用エンベロープ３１９，３１９´及び３１９"の構造とその使用態様を説明するために使用する分解斜視図である。なおこれらの図に示されたメンコ用ホルダ３０１は、メンコ２の装着態様を理解しやすくするために、枠体３０５の１つの短辺に挿入用スリットＳ１が形成された構造としている。図７（Ａ）に示された保護用エンベロープ３１９は、枠体３０５の厚みよりも厚みが薄い可撓性と柔軟性とを有する二枚の透明または半透明の合成樹脂製シート部３１９ａ及び３１９ｂから構成されている。二枚の合成樹脂製シート部３１９ａ及び３１９ｂは、メンコ２を間に挟むことができるように、隣接する二つの辺を相互に連結した構造になっている。
【００３３】
図７（Ｂ）に示された保護用エンベロープ３１９´も、枠体３０５の厚みよりも厚みが薄い可撓性と柔軟性とを有する二枚の透明または半透明の合成樹脂製シート部３１９ａ及び３１９ｂから構成されている。この保護用エンベロープ３１９´は、一辺で連結された二枚の合成樹脂製シート部３１９ａ及び３１９ｂを備えている。これを簡単に製造するには、一枚の合成樹脂シート材料を中央部で折り曲げればよい。
【００３４】
図７（Ｃ）に示された保護用エンベロープ３１９"も、二枚の合成樹脂製シート部の３つの辺を相互に連結して、袋状にした構造を有している。図７（Ａ），（Ｂ）及び（Ｃ）のいずれの構造であって、保護用エンベロープ内にメンコ２を入れた状態で、枠体３０５の内部にメンコ２を挿入するならば、メンコ２をホルダ３０１に挿入する際にメンコ２の角部においてメンコ２を構成する複数枚の薄い紙がめくれ上がってしまうような損傷が発生するのを有効に防止できる。
【００３５】
図８は、本発明の他のタイプのメンコ用ホルダ４０１の実施の形態の構造を示す分解斜視図である。図９（Ａ）及び（Ｂ）は、メンコ用ホルダ４０１を開いた状態の平面図及び図９（Ａ）のIXＢ−IXＢ線断面図である。このメンコ用ホルダ４０１は、ホルダ本体４３１と、蓋部材４３２と、両者を連結するヒンジ部４３３とを備えている。ホルダ本体４０１は、メンコ２の外周面を囲むように形成された枠体４３４と、この枠体４３４に一体に設けられ、メンコ２の表面の絵柄が隠れない程度に枠体４３４の内側に向かって延び且つメンコ２の外周面と連続する表面の部分と接触する環状の表面側延長接触部４３５とから構成されている。枠体４３４は、メンコ２の長手方向に間隔を開けて対向する一対の短辺側枠体セグメント４３６及び４３７と、長手方向と直交する方向に間隔を開けて対向する一対の長辺側枠体セグメント４３８及び４３９とから構成される。そして枠体４３４の短辺側枠体セグメント４３６がヒンジ部４３３に連結されている。また短辺側枠体セグメント４３７には、蓋部材４３２を外す際に爪または工具を入れるための溝を形成する段部４５０と、蓋部材４３２を係止するための被係止部を構成する２つの孔部４５１が形成されている。そして一対の短辺側枠体セグメント４３６及び４３７及び一対の長辺側枠体セグメント４３８及び４３９の内周部には、それぞれ間隔を開けて２個ずつメンコ移動防止用のリブ４４０が一体に設けられている。これらのリブ４４０を設けることにより、メンコ２の周囲にある程度の空間を開けて、メンコの寸法誤差を吸収する。
【００３６】
蓋部材４３２には、前述の２つの孔部４５１に嵌合される係止部を構成する２つの円柱状の突起４５２が一体に設けられている。これら２つの突起４５２の直径寸法は、２つの孔部４５１の内径寸法よりも僅かに大きく設定されている。また蓋部材４３２には、ホルダ本体４３１と蓋部材４３２とが係止された状態で、枠体４３４内に挿入されてメンコ２の裏面と接触し、メンコ２を表面側延長接触部４３５に向かって押し付ける４つの押圧用突出部４５３が一体に設けられている。
【００３７】
またこのホルダ４３１を用いる場合にも、図７に示すような保護用エンベロープを用いることができる。しかしながら、このホルダ４３１を用いる場合には、図８に示すように、メンコ２の表面を保護する透明または半透明の合成樹脂製の保護シート４５４を表面側延長接触部４３５に係止させるように枠体４３４の内部に配置してもよい。
【００３８】
ホルダ４０１にメンコ２を装着する際には、メンコ２をホルダ本体４３１の枠体４３４内に落とし込んだ後に、蓋部材４３２をホルダ本体４３１に係止させればよい。したがって、メンコに大きな力を加えることなく、メンコのホルダへの装着及びホルダからのメンコの取外しを容易に行える。
【００３９】
図１０は、図８の実施の形態の変形例となる他の実施の形態のメンコ用ホルダ５０１を開いた状態の斜視図を示している。図１０の実施の形態が図８の実施の形態と異なるのは、蓋部材５３２がホルダ本体５３１の枠体５３４の長辺側枠体セグメント５３８にヒンジ部５３３を介して連結されている点であり、その他の点は図８の実施の形態と実質的に同じである。そこで図１０の実施の形態には、図８の実施の形態に付した符号に１００の数を加えた数の符号を付して詳細な説明を省略する。
【００４０】
図１１は、ホルダ本体６３１と蓋部材６３２とを別に構成するメンコ用ホルダ６０１の構成を概念的に示す分解斜視図である。このようにホルダ本体６３１と蓋部材６３２とを別に構成しても両者を係合構造を介して係合させれば、メンコ２を支障なく保護することができる。
【００４１】
図１２（Ａ）乃至（Ｄ）は、図４で説明したメンコ用フィールドで使用できるマット１２２の変形例を説明するために用いる図である。図１２（Ａ）は、このマット１２２の外観の斜視図を示しており、図１２（Ｂ）は断面図を示している。この図から分かるように、このマット１２２では、通気性を有する布製の平面視八角形形状のカバー部材１２４と、このカバー部材１２４の内部に配置されカバー部材１２４を通ってカバー部材１２４の内部に入った空気を吸収する詰物１２５と、詰物１２５の周囲を囲む環状のフレーム１２８とから構成されている。カバー部材１２４には、ファスナ１２９がついており、中の詰物１２５を交換できるようになっている。使用するメンコ用ホルダの重量や形状に応じて特性の異なる詰物に変更することが可能である。詰物１２５は、スポンジ構造の下側詰物層１２６とこの下側詰物層１２６の上に重ねられる布団構造の上側詰物層１２７とから構成されている。この構造では、メンコがマットに当たった際の衝撃力をスポンジ構造の下側詰物層１２６で吸収して、押し込まれる空気を布団構造の上側詰物層１２７で吸収する。そして環状のフレーム１２８は、マットの形状が型崩れするのを防止する目的で用いられている。
【００４２】
【発明の効果】
本発明のメンコ用ホルダによれば、枠体によりメンコの外周面を保護し、表面側延長接触部及び裏面側延長接触部により枠体からメンコが抜け出るのを阻止するとともに、メンコの表面及び裏面がフィールド上に強く押し付けられた状態で摺動するのを防止することにより、メンコを保護することができる。したがって本発明のメンコ用ホルダを用いれば、メンコを確実に保護することができる。
【００４３】
またホルダを、ホルダ本体と蓋部材とから構成すると、ホルダにメンコを装着する際には、メンコをホルダ本体の枠体内に落とし込んだ後に、蓋部材をホルダ本体に係止すればよく、メンコに大きな力を加えることなく、メンコのホルダへの装着及びホルダからのメンコの取外しを容易に行える利点がある。
【００４４】
更に本発明のメンコ用フィールドを用いると、マットによりメンコの反発力を吸収して、しかも飛び出し防止枠ユニットによりメンコの飛び出しを防止することができるので、ホルダによって重量が増加しても、支障なくプレイを楽しむことができ、メンコ遊戯の遊興性を高めることのできる利点が得られる。
【００４５】
さらに本発明のメンコ用ホルダとフィールドを併せて使用することによってメンコの損傷を気にすることなく、また必要以上なメンコの飛び出しを気にすることなく、メンコ遊戯を楽しむことができる。
【図面の簡単な説明】
【図１】  （Ａ）は、本発明の一実施の形態のメンコ用ホルダの斜視図であり、（Ｂ）はメンコ用ホルダにメンコを装着した状態の斜視図である。
【図２】  （Ａ）及び（Ｂ）は、図１（Ａ）のメンコ用ホルダの平面図及び底面図である。
【図３】  （Ａ）乃至（Ｄ）は、図１（Ａ）のメンコ用ホルダの正面図、図１（Ａ）のメンコ用ホルダのIIIＢ−IIIＢ線断面図、図１（Ａ）のメンコ用ホルダの側面図及び図１（Ａ）のメンコ用ホルダのIIIＤ−IIIＤ線断面図である。
【図４】  （Ａ）は本発明のメンコ用フィールドの実施の形態の斜視図であり、（Ｂ）は図４（Ａ）のIVＢ−IVＢ線断面図であり、（Ｃ）は図４（Ａ）のIVＣ−IVＣ線断面図であり、（Ｄ）はメンコ用フィールドの使用状態を示す斜視図である。
【図５】  （Ａ）及び（Ｂ）は、本発明の他の実施の形態のメンコ用ホルダの斜視図及びこのメンコ用ホルダにメンコを装着した状態の斜視図である。
【図６】  （Ａ）及び（Ｂ）は、本発明の更に他の実施の形態のメンコ用ホルダの斜視図及びこのメンコ用ホルダにメンコを装着した状態の斜視図である。
【図７】  （Ａ）乃至（Ｃ）は、３種類の保護用エンベロープの構造とその使用態様を説明するために使用する分解斜視図である。
【図８】  本発明の他のタイプのメンコ用ホルダの実施の形態の構造を示す分解斜視図である。
【図９】  （Ａ）及び（Ｂ）は、図８のメンコ用ホルダを開いた状態の平面図及び図９（Ａ）のIXＢ−IXＢ線断面図である。
【図１０】  図８の実施の形態の変形例となる他の実施の形態のメンコ用ホルダを開いた状態の斜視図である。
【図１１】  ホルダ本体と蓋部材とを別に構成するメンコ用ホルダの構成を概念的に示す分解斜視図である。
【図１２】  （Ａ）乃至（Ｄ）は、図４に示したメンコ用フィールドで使用できる他のマットの外観の斜視図、（Ｂ）は図１２（Ａ）のXIIＢ−XIIＢ線断面図であり、（Ｃ）は環状のフレームの斜視図であり、（Ｄ）は二層構造の詰物の斜視図である。
【符号の説明】
１  メンコ用ホルダ
２  メンコ
３  絵柄
４  表面
５  枠体
６，７  短辺側枠体セグメント
８，９  長辺側枠体セグメント
１０〜１３  表面側延長接触部
１５  裏面側延長接触部
１６  孔
１７  突起
２１  フィールド
２２  マット
２３  飛び出し防止枠ユニット
【図１】
0003881247.tif 000002
【図２】
0003881247.tif 000003
【図３】
0003881247.tif 000004
【図４】
0003881247.tif 000005
【図５】
0003881247.tif 000006
【図６】
0003881247.tif 000007
【図７】
0003881247.tif 000008
【図８】
0003881247.tif 000009
【図９】
0003881247.tif 000010
【図１０】
0003881247.tif 000011
【図１１】
0003881247.tif 000012
【図１２】
0003881247.tif 000013